(57)【要約】      （修正有）【課題】簡単で安価に製作されるとともに、使用前はひとつひとつがコンパクトで嵩張ることがなく取り扱いやすいストレーナおよびそのストレーナ用板部材を提供する。【解決手段】ストレーナ１は、ストレーナ用板部材２と掛止用脚体５とから構成されている。ストレーナ用板部材２は、排水口の上方位置または前方位置に配置されて排水口を蓋う平板状の本体板部３と、本体板部３の側辺に連結部２１を介してそれぞれ連結されて本体板部３の側方を蓋うための平板状の側板部４，４とから成り、側板部４，４と本体板部３とが、一体に、且つ、面一の平面状に形成されており、連結部２１が、本体板部３に対し側板部４，４を折り曲げ自在に形成された第１折り曲げ予定部２２，２２として構成されているものである。【選択図】図２
0003185885.tif 000002
【実用新案登録請求の範囲】
【請求項１】
屋外床、または屋外床に立設された竪壁に形成されている排水管の排水口を通水可能に蓋うストレーナのストレーナ用板部材であって、
排水口の上方位置または前方位置に配置されて排水口を蓋う平板状の本体板部と、本体板部の側辺に連結部を介してそれぞれ連結されて本体板部の側方を蓋うための平板状の側板部と、から成り、前記側板部と前記本体板部とが、一体に、且つ、面一の平面状に形成されており、前記連結部が、本体板部に対し側板部を折り曲げ自在に形成された第１折り曲げ予定部として構成されていることを特徴とするストレーナ用板部材。
【請求項２】
前記本体板部の途中部分に、折り曲げ自在に形成された第２折り曲げ予定部が設けられている請求項１に記載のストレーナ用板部材。
【請求項３】
第１折り曲げ予定部が、連ねて形成された通水用開口間のつながり部位で構成され、または、第２折り曲げ予定部が、連ねて形成された通水用開口間のつながり部位で構成されている請求項２に記載のストレーナ用板部材。
【請求項４】
第１折り曲げ予定部または第２折り曲げ予定部が、前記側板部および前記本体板部よりも薄い肉厚の薄肉部で構成されている請求項２または請求項３に記載のストレーナ用板部材。
【請求項５】
請求項１から請求項４のいずれか一項に記載のストレーナ用板部材の本体板部または側板部に、排水管内に挿通されて管内壁に掛止される掛止用脚体が取り付けられていることを特徴とするストレーナ。
【考案の詳細な説明】
【技術分野】
【０００１】
本考案は、ベランダ床や水平ルーフなどの屋外床、または屋外床に立設された竪壁に形成されている排水口を通水可能に塞ぐストレーナ、およびそのストレーナを構成するストレーナ用板部材に関するものである。
【背景技術】
【０００２】
従来、この種のストレーナとしては、下記の特許文献１に記載されているものが知られている。このストレーナ５１は、図１２に示すように、ベランダなどの排水口を通水可能に塞ぐストレーナ用板部材５２と、このストレーナ用板部材５２の左右内側面に固着された掛止用脚体５５，５５と、から構成されている。ストレーナ用板部材５２は例えば金属板を原材料として打ち抜きプレス機で製作され、排水口を蓋うための本体板部５３と、折り曲げプレス機により本体板部５３の左右両側辺から後向きにそれぞれ曲折された側板部５４，５４と、から成っている。本体板部５３には多数の通水用開口５７，５７，５７，・・・が形成され、本体板部５３の下部には多数の垂れ板部５９，５９，５９，・・・が設けられている。垂れ板部５９，５９間は通水用開口５８となっている。掛止用脚体５５，５５は、左右の側板部５４，５４の内壁面にリベット５６などで固着されている。
【０００３】
上記構成のストレーナ５１は、図１３に示すようなベランダ２９で使用される。ベランダ２９は、住宅建築の外壁から屋外に突設された床３０と、床３０の先端に立設された竪壁３１と、から成っている。ベランダ２９のコーナー部には排水口３３を有するドレン３４と、ドレン３４につながる横向き排水管３２が竪壁３１を水平方向に貫通して設けられている。そこで、前記のストレーナ５１は、本体板部５３の上辺５３Ａがドレン３４の上部に立て掛けられ、垂れ板部５９の下端５９Ａがドレン３４の底面上に載せられることにより、本体板部５３が排水口３３の前方位置に傾斜姿勢で配置されて排水口３３を蓋うようになっている。
【先行技術文献】
【特許文献】
【０００４】
【特許文献１】特開平７２２９２５２号公報（図１、図２）
【考案の概要】
【考案が解決しようとする課題】
【０００５】
ところが、前記した従来のストレーナ５１は、打ち抜きプレス機のみならず、折り曲げプレス機も用いて製作されるため、製作に手間がかかり安価に得られないという問題があった。また、本体板部５３に対して側板部５４，５４が比較的強固に折り曲げられているため、折り曲げ角度は一定であって角度可変ではなかった。そして、全体が立体的に構成されているので、ひとつひとつが嵩張っている。そのために、例えば多数のストレーナ５１を集積すると、非常に大きな保管スペースや運搬スペースが必要となる。また、工事現場への持ち込みにも苦労していた。あるいは、多数を積み重ねたときのストレーナ５１が重量により変形したり破損したりすることもあり、取扱いが比較的難しいものであった。
【０００６】
本考案は、上記した従来の問題点に鑑みてなされたものであって、簡単で安価に製作されるとともに、使用前はひとつひとつがコンパクトで嵩張ることがなく取り扱いやすいストレーナおよびそのストレーナ用板部材の提供を目的とする。
【課題を解決するための手段】
【０００７】
上記目的を達成するために、本考案に係るストレーナ用板部材は、屋外床、または屋外床に立設された竪壁に形成されている排水管の排水口を通水可能に蓋うストレーナのストレーナ用板部材であって、排水口の上方位置または前方位置に配置されて排水口を蓋う平板状の本体板部と、本体板部の側辺に連結部を介してそれぞれ連結されて本体板部の側方を蓋うための平板状の側板部と、から成り、前記側板部と前記本体板部とが、一体に、且つ、面一の平面状に形成されており、前記連結部が、本体板部に対し側板部を折り曲げ自在に形成された第１折り曲げ予定部として構成されていることを特徴とするものである。
【０００８】
また、前記構成において、前記本体板部の途中部分に、折り曲げ自在に形成された第２折り曲げ予定部が設けられているものである。
【０００９】
そして、前記した各構成において、第１折り曲げ予定部が、連ねて形成された通水用開口間の連結部で構成され、または、第２折り曲げ予定部が、連ねて形成された通水用開口間の連結部で構成されているものである。
【００１０】
更に、前記した各構成において、第１折り曲げ予定部または第２折り曲げ予定部が、前記側板部および前記本体部よりも薄い肉厚の薄肉部で構成されているものである。
【００１１】
また、本考案に係る排水口のストレーナは、請求項１から請求項４のいずれか一項に記載のストレーナ用板部材の本体部または側板部に、排水管内に挿通されて管内壁に掛止される掛止用脚体が取り付けられていることを特徴とするものである。
【考案の効果】
【００１２】
本考案に係るストレーナ用板部材は面一の平板状であるので、打ち抜きプレス機のみを用いて簡単かつ安価に製作することができる。また、例えば積み重ねても嵩張らない。従って、商品保管時はもとより工事現場への運搬時もコンパクトで極めて取り扱いやすい。すなわち、保管スペースや運搬スペースが同じ大きさである場合、従来よりも多くのストレーナ用板部材を積み重ねて保管や運搬ができるし、積み重ねたときに変形したり破損したりしない。また、本体板部に対し側板部を折り曲げ自在に構成してあるので、屋外床を蓋うために本体板部を配置する場合に、工事現場で側板部を手で折り曲げることにより、本体板部の側方に生じた隙間を蓋うことも可能になる。本体板部に対する側板部の折り曲げ角度は自由に設定することが可能であり、元の平板状に戻すこともできる。
【００１３】
また、本体板部の途中部分に、折り曲げ自在に形成された第２折り曲げ予定部が設けられているものでは、ベランダの屋外床と竪壁とのコーナー部において、竪壁の横向き排水管と屋外床の縦向き排水管の双方を蓋う場合にも好適に使用することができる。
【００１４】
そして、第１折り曲げ予定部が、連ねて形成された通水用開口間の連結部で構成され、または、第２折り曲げ予定部が、連ねて形成された通水用開口間の連結部で構成されているものでは、ストレーナ用板部材が前後または上下に折り曲げられた後も、連結部に連なる複数の開口部を通水用開口としてそのまま利用することができる。
【００１５】
更に、第１折り曲げ予定部または第２折り曲げ予定部が、前記側板部および前記本体板部よりも薄い肉厚の薄肉部で構成されているものでは、簡素な構成、且つ、製作しやすい構成で、折り曲げ予定部を提供することができる。
【００１６】
また、本考案に係る排水口のストレーナは、上記した各ストレーナ用板部材を備えているので、それぞれの優れた効果を呈することは無論のこと、屋外床または竪壁の排水管の排水口を通水可能に蓋うために好適に使用され得る。
【図面の簡単な説明】
【００１７】
【図１】本考案の一実施形態に係る排水口のストレーナを示す正面図である。
【図２】前記ストレーナの背面図である。
【図３】前記ストレーナの部分拡大断面図である。
【図４】前記ストレーナの斜視図である。
【図５】前記ストレーナの使用状態を示す説明図である。
【図６】本考案の別の実施形態に係るストレーナを示す正面図である。
【図７】本考案の他の実施形態に係るストレーナを示す正面図である。
【図８】前記他の実施形態に係るストレーナのストレーナ用板部材の斜視図である。
【図９】本考案の更に他の実施形態に係るストレーナを示す正面図である。
【図１０】本考案の別の異なる実施形態のストレーナを示す図であって、（ａ）は平面図、（ｂ）は使用前の斜視図、（ｃ）は縦向きの排水口に装着した状態を示す説明図である。
【図１１】本考案の更に異なる実施形態のストレーナを示す図であって、（ａ）は平面図、（ｂ）は使用前の斜視図、（ｃ）は上方の排水管と下方の排水管との間を中継するため取り付けられた状態を示す説明図である。
【図１２】従来のストレーナの斜視図である。
【図１３】前記従来のストレーナの使用状態を示す説明図である。
【考案を実施するための形態】
【００１８】
本考案の実施形態を図面に基づいて説明する。尚、以下に述べる実施形態は本考案を具体化した一例に過ぎず、本考案の技術的範囲を限定するものでない。図１は本考案の一実施形態に係る排水口のストレーナを示す正面図、図２は前記ストレーナの背面図、図３は前記ストレーナの掛止用脚体を回転させた態様を示す背面図、図４は前記ストレーナの部分拡大断面図である。但し、図１３に示した一般的なベランダと同一の構成要素には、同一の符号を付すとともにその詳細な説明を省略することがある。
各図において、この実施形態に係るストレーナ１は、ベランダの排水口をふさぐストレーナ用板部材２と、ストレーナ用板部材２にビス７およびナット１０などを用いて取り付けられる掛止用脚体５と、から構成されている。掛止用脚体５は、展開された状態でＴ字状になっている板体であり、一端にビス挿通用の穴１１を有する支柱部５Ｂと、支柱部５Ｂの他端に熔接などで固着された横架部５Ｃと、から成っている。図中の符号５Ａは、支柱部５Ｂと横架部５Ｃの熔接部分を示している。
【００１９】
前記のストレーナ用板部材２は、例えばステンレス鋼板を原材料として打ち抜きプレス機による１回の打ち抜き加工のみで製作される。このストレーナ用板部材２は、正面視四角形状で平板状の本体板部３と、本体板部３の左右両側辺に連結部２１を介してそれぞれ連結された平板状の側板部４，４とから、一体に、且つ、面一の平面状に形成されている。連結部２１は、本体板部３に対し左右の側板部４，４を縦向きの折り曲げ仮想線Ｖの位置で前後方向折り曲げ自在に形成されており、第１折り曲げ予定部２２としての機能を有している。本体板部３のほぼ中央部であって通水用開口１３と通水用開口１４の間の位置には、ビス挿通用の穴８が形成されている。
【００２０】
そこで、前面側から本体板部３の穴８を通されたビス７は、更に掛止用脚体５の穴１１を通された後にワッシャ９が装着されナット１０が螺着される。ビス７を締め付けないときは、本体板部３に対し掛止用脚体５が回動自由である。掛止用脚体５は、支柱部５Ｂが塑性変形可能な金属板で構成され、横架部５Ｃがバネ弾性力により弾性変形可能な鋼板などで構成されている。本体板部３の上下中央部から上部にかけて、複数の通水用開口１３，１３，・・・が左右適宜間隔で形成されている。本体板部３の下部には、複数の垂れ板部１５，１５，・・・が左右適宜間隔で垂設され、隣り合う垂れ板部１５，１５間は通水用開口１４となっている。本体板部３と左右の三角形状の側板部４，４との間には、それぞれ上下に長い通水用開口１６，１７，１８が上下方向に連なって形成されている。これら通水用開口１６，１７間のつながり部、および通水用開口１７，１８間のつながり部は、幅狭の連結部２１，２１となっている。これらの連結部２１，２１は、縦方向の折り曲げ仮想線Ｖを成す第１折り曲げ予定部２２としての機能を有する。そして、左右の側板部４，４には、それぞれ通水用開口１９，２０が形成されている。
【００２１】
上記のように構成されたストレーナ１の作用を次に説明する。まず、平たんな状態のストレーナ用板部材２に力が加えられ、連結部２１，２１の折り曲げ仮想線Ｖを境に、左右の側板部４，４が本体板部３に対して後向きに折り曲げられる。その後、掛止用脚体５の支柱部５Ｂが後方向に曲げられる。次に、横架部５Ｃの両端が後方向に手ですぼめられる。これにより、ストレーナ１は図４に示した状態になる。この状態のストレーナ１は、図５に示すように、ベランダ２９の屋外床３０に立設された竪壁３１に形成されている横向き排水管３２の排水口３３を通水可能に蓋うようになっている。図５中の符号３５は、床３０および竪壁３１の表面と、ドレン３４の端部を覆った防水シートである。
【００２２】
この状態のストレーナ１は、図５に示すように、ベランダ２９の屋外床３０に立設された竪壁３１に形成されている横向き排水管３２の排水口３３を通水可能に蓋うようになっている。図５中の符号３５は、床３０および竪壁３１の表面と、ドレン３４の端部を覆った防水シートである。
まず、掛止用脚体５の先端部５Ｃがドレン３４の開口部から横向き排水管３２内に装入される。そして、先端部５Ｃから手を離すと、先端部５Ｃの両端が自身のバネ弾性力により拡がって横向き排水管３２の管内壁に当接して掛止される。このとき、垂れ板部１５，１５，・・・の下端１５Ａ，１５Ａ，・・・が、排水口３３を被うドレン３４の底面上に置かれる。更に、本体板部３の上辺３Ａがドレン３４の上部に立て掛けられる。これにより、本体板部３が、排水口３３を被うドレン３４の前方位置に傾斜姿勢で配置されて排水口３３を蓋うこととなる。本体板部３の左右両側方は、側板部４，４により通水可能に蓋われている。
【００２３】
以上、述べたように、この実施形態のストレーナ１によれば、工事現地でドレン３４に取り付けられる直前までは、ストレーナ用板部材２が面一の平板状であり、掛止用脚体５も展開された状態で平板状であるので、嵩張ることがない。そのために、商品保管時はもとより工事現場への運搬時も嵩張ることがなく、コンパクトで極めて取り扱いやすい。言い換えれば、保管スペースや運搬スペースが同じ大きさの場合、従来品よりも多数のストレーナ１を積み重ねて、保管や運搬ができるという利点がある。また、本体板部３に対し側板部４，４を折り曲げ自在に構成してあるので、排水口３３を蓋うために本体板部３を配置する場合に、工事現場で側板部４，４を手で折り曲げることにより、本体板部３の側方に生じる隙間を蓋うことも可能になる。本体板部３に対する側板部４の折り曲げ角度は自由に設定することが可能であり、ストレーナ用板部材２全体を元の平板状に戻すこともできる。そして、排水口３３への取り付け、取り外しも簡単である。更に、このストレーナ１のストレーナ用板部材２は、打ち抜きプレス機のみを用いて簡単かつ安価に製作できるという利点もある。
【００２４】
尚、上記の実施形態では、上下に連なる通水用開口１６，１７，１８を利用して第１折り曲げ予定部を形成したが、本考案はそれに限定されるものでない。例えば、図６に示すようなストレーナ１ａも本考案に含まれる。すなわち、このストレーナ１ａでは、ストレーナ用板部材２ａの連結部２６が、左右の側板部４ａ，４ａおよび本体板部３ａよりも薄い肉厚の薄肉部として構成されている。この連結部２６は、本体板部３ａに対し左右の側板部４ａ，４ａを前後方向折り曲げ自在にする第１折り曲げ予定部２２ａとしての機能を有する。このストレーナ１ａも、先述のストレーナ１と同様、保管時や運搬時には平坦であって厚みが小さくコンパクトであるので取扱いやすい。
【００２５】
また、図７に示すようなストレーナ１ｂも本考案に含まれる。すなわち、このストレーナ１ｂでは、ストレーナ用板部材２ｂの本体板部３ｂが、その上下途中部分で、上側の分割本体板部３Ｂと下側の分割本体板部３Ｃとに分割して形成されている。分割本体板部３Ｃには、横長の通水用開口２７が上下方向および左右方向に適宜間隔で複数形成されている。そして、分割本体板部３Ｂと分割本体板部３Ｃとは連結部２３，２３，２３を介して連結されている。これらの連結部２３，２３，２３は、左右に連ねて形成された通水用開口２５，２５の間に存在する。これら連結部２３，２３，２３は、分割本体板部３Ｂに対し分割本体板部３Ｃを折り曲げ仮想線Ｗの位置で上下方向折り曲げ自在にする第２折り曲げ予定部２４，２４，２４として機能する。また、分割本体板部３Ｂの左右両側には、側板部４Ｂ，４Ｂが連結部２１，２１を介してそれぞれ連結されている。分割本体板部３Ｃの左右両側には、側板部４Ｃ，４Ｃが連結部２１，２１を介してそれぞれ連結されている。
【００２６】
このストレーナ１ｂのストレーナ用板部材２ｂは、分割本体板部３Ｂに対し分割本体板部３Ｃが連結部２３，２３，２３の位置で前方に折り曲げられる。分割本体板部３Ｂに対し左右の側板部４Ｂ，４Ｂが連結部２１，２１の位置で後向きに折り曲げられる。また、分割本体板部３Ｃに対し左右の側板部４Ｃ，４Ｃが連結部２１，２１の位置で斜め下向きに折り曲げられる。これにより、ストレーナ用板部材２ｂは、図８に示した状態になる。このストレーナ用板部材２ｂを有するストレーナ１ｂは、先述のストレーナ１，１ａと同様、保管時や運搬時には平坦であって厚みが小さくコンパクトであるので取扱いやすい。そのうえ、ベランダのコーナー部に設置されたＬ字状のドレンに好適に使用することができる。
【００２７】
更には、図９に示すようなストレーナ１ｃも本考案に含まれる。このストレーナ１ｃでは、ストレーナ用板部材２ｃの本体板部３ｃが分割本体板部３Ｂａと分割本体板部３Ｃａとから構成されている。前記の分割本体板部３Ｂａと分割本体板部３Ｃａとは連結部２６ａを介して連結されている。分割本体板部３Ｂａの左右両側には、側板部４Ｂａ，４Ｂａが連結部２６，２６を介してそれぞれ連結されている。分割本体板部３Ｃａの左右両側には、側板部４Ｃａ，４Ｃａが連結部２６，２６を介してそれぞれ連結されている。連結部２６である第１折り曲げ予定部２２ａと、連結部２６ａである第２折り曲げ予定部２４ａは、左右の側板部４Ｂａ，４Ｃａおよび分割本体板部３Ｂａ，３Ｃａよりも薄い、肉厚の薄肉部で構成されている。
このストレーナ１ｃの使用に際しては、分割本体板部３Ｂａに対し分割本体板部３Ｃａが折り曲げ仮想線Ｗの位置で折り曲げられ、本体板部３Ｂａ，３ｃａに対し左右の側板部４Ｂａ，４Ｂａ、４Ｃａ，４Ｃａが折り曲げ仮想線Ｖ，Ｖ，Ｖ，Ｖの位置でそれぞれ折り曲げられる。従って、このストレーナ１ｃによれば、ストレーナ１ｂと同様、保管時や運搬時に平坦で厚みが小さくコンパクトである。また、ベランダのコーナー部に設置されたＬ字状のドレンにも好適に使用できる。
【００２８】
尚、上記では、横向き排水管内に挿通されて管内壁に掛止される掛止用脚体を、ストレーナ用板部材の本体板部に取り付けた例を示したが、本考案はそれに限定されるものでない。例えば、ストレーナ用板部材の左右の側板部に、前記の掛止用脚体を取り付けたものであってもよい。
【００２９】
更に、上記の実施形態では、竪壁３１の横向き排水管３２の排水口３３を蓋うストレーナ１〜１ｃを示したが、本考案はそれに限定されるものでない。例えば、図１０(ａ)，(ｂ)，(ｃ)に示すようなストレーナ１ｄも本考案に含まれる。すなわち、このストレーナ１ｄは、屋外床３０に形成された縦向き排水管３６の排水口３７に嵌着されたドレン３８を蓋うものである。このストレーナ１ｄは、ストレーナ用板部材２ｄと、ストレーナ用板部材２ｄにビス７などで取り付けられた掛止用脚体５と、から構成されている。ストレーナ用板部材２ｄは、円形で平板状の本体板部３ｄと、本体板部３ｄの周囲に連結部２７を介して放射状にそれぞれ連結された複数で平板状の側板部４ｄ，４ｄ，４ｄ，・・・と、から構成されている。本体板部３ｄには放射状に配置された複数の通水用開口４４，４４，４４，・・・が形成され、各側板部４ｄには通水用開口４２がそれぞれ形成され、連結部２７，２７間には通水用開口４３が形成されている。
【００３０】
このストレーナ１ｄでは、本体板部３ｄに対し周囲の側板部４ｄ，４ｄ，４ｄ，・・・が例えば下向きに折り曲げられる。更に、掛止用脚体５の両端部がすぼめられてドレン３８内に装入されて放される。これにより、掛止用脚体５が３８の内周壁に掛止され、ストレーナ用板部材２ｄが縦向き排水管３６の排水口３７を通水可能に蓋うのである。すなわち、打ち抜きプレス機による打ち抜きのみでストレーナ用板部材２ｄを製作できること、使用前はストレーナ用板部材２ｄおよび掛止用脚体５が平板状で嵩張らず過大なスペースを要しないこと、および、本体板部３ｄに対し折り曲げ自由に側板部４ｄを折り曲げて使用できることといった効果は、先述したストレーナ１〜１ｃと同様である。
【００３１】
そして、図１１(ａ)，(ｂ)，(ｃ)に示すように、前記した縦向き排水管３６の排水口３７と、例えば上の階から垂下された縦向き排水管３９とを中継する中継型のストレーナ１ｅも、本考案に含まれる。このストレーナ１ｅは、ストレーナ用板部材２ｅと、ストレーナ用板部材２ｅの内周面にそれぞれ連結部４０を介して連結された例えば３つの支持用脚部４１，４１，４１と、から構成されている。ストレーナ用板部材２ｅは、大きな通水用開口４７を有して平面視リング板状の本体板部３ｅと、本体板部３ｅの外周縁に連結部２７ａ，２７ａを介してそれぞれ連結された複数で平板状の側板部４ｅ，４ｅ，４ｅ，・・・と、から構成されている。このストレーナ用板部材２ｅおよび支持用脚部４１，４１，４１は、打ち抜きプレス機を用いた打ち抜き加工のみで製作される。各側板部４ｅには通水用開口４５がそれぞれ形成され、連結部２７ａ，２７ａ間には通水用開口４６が形成されている。
【００３２】
このストレーナ１ｅでは、本体板部３ｅに対し外周の側板部４ｅ，４ｅ，４ｅ，・・・が例えば下向きに折り曲げられる。更に、内周の支持用脚部４１，４１，４１が連結部４１Ｂを介して下向きに折り曲げられる。そして、各支持用脚部４１の先端の受け部４１Ａが内向きに折り曲げられて水平にされる(図１１（ｂ)参照)。一方、縦向き排水管３６の排水口３７に嵌着されたドレン３８は、円盤状ストレーナ４８で蓋われる。この円盤状ストレーナ４８は排水口３７を通水可能に蓋うための通水開口を有する円板状の本体板部４８Ａと、本体板部４８Ａの下面にビス７などで取り付けられた掛止用客体５と、から成っている。
【００３３】
そこで、図１１（ｃ）に示すように、円盤状ストレーナ４８の掛止用脚体５の両端部がすぼめられドレン３８内で放される。これにより、円盤状ストレーナ４８が固定され縦向き排水管３６の排水口３７を通水可能に蓋う。前記したストレーナ１ｅは、円盤状ストレーナ４８の本体板部４８Ａの外方位置でドレン３８の上面に載置される。そして、支持用脚部４１，４１，４１の受け部４１Ａ，４１Ａ，４１Ａ上に、縦向き排水管３９の開口端部が載せられて支持される。すなわち、打ち抜きプレス機による打ち抜きのみでストレーナ用板部材２ｅを製作できること、使用前はストレーナ用板部材２ｅおよび支持用脚部４１が平板状で嵩張らず過大なスペースを要しないこと、および、本体板部３ｅに対し折り曲げ角度自由に側板部４ｅを折り曲げて使用できることといった効果は、先述したストレーナ１〜１ｄと同様である。
【００３４】
また、ストレーナ用板部材に取り付けられる掛止用脚体の脚数は上記のような２脚に限るものでなく、例えば４脚以上でも構わない。
そして、上記では、折り曲げ予定部として、通水用開口部間の連結部、薄肉部による連結部を例示したが、本考案の連結部はそれらに限定されない。例えば、ミシン目状に形成された連結部などであってもよい。
【符号の説明】
【００３５】
１，１ａ，１ｂ，１ｃ，１ｄ，１ｅ  ストレーナ
２，２ａ，２ｂ，２ｃ，２ｄ，２ｅ  ストレーナ用板部材
３，３ａ，３ｂ，３ｃ，３ｄ，３ｅ  本体板部
３Ｂ，３Ｃ，３Ｂａ，３Ｃａ  分割本体板部
４，４ａ，４Ｂ，４Ｃ，４Ｂａ，４Ｃａ，４ｄ，４ｅ  側板部
５  掛止用脚体
１３，１４，１６，１７，１８，１９，２０，２５，２７，４２，４３，４４，４５，４６  通水用開口
２２，２２ａ  第１折り曲げ予定部
２１，２３，２６，２６ａ，２７，２７ａ  連結部
２４，２４ａ  第２折り曲げ予定部
Ｖ    折り曲げ仮想線
Ｗ    折り曲げ仮想線
【図１】
0003185885.tif 000003
【図２】
0003185885.tif 000004
【図３】
0003185885.tif 000005
【図４】
0003185885.tif 000006
【図５】
0003185885.tif 000007
【図６】
0003185885.tif 000008
【図７】
0003185885.tif 000009
【図８】
0003185885.tif 000010
【図９】
0003185885.tif 000011
【図１０】
0003185885.tif 000012
【図１１】
0003185885.tif 000013
【図１２】
0003185885.tif 000014
【図１３】
0003185885.tif 000015